(57)【特許請求の範囲】
【請求項１】
取付板と支持板とを有する長尺の基枠体の内側に連結杆が摺動可能に配設され、該支持板の上部と下部に鉤部材が傾動可能に枢支され、該連結杆の上端と下端が上下の該鉤部材に連結され、該取付板の中間部にシリンダ錠が固定され、該シリンダ錠の錠軸に取付られたカム板が該連結杆に係合可能に配設され、該支持板と該連結杆との間に作動杆が該カム板に係合可能で且つ摺動可能に配設されてなるゲーム機の施錠装置において、
該基枠体の取付板の中間部に幅広の取付部が設けられ、該取付部上にキー操作検出用のスイッチ手段が取り付けられ、前記連結杆と作動杆が該取付部上を通って配置されると共に、該スイッチ手段をスイッチングさせるスイッチング作動部が該連結杆と該作動杆に設けられ、該連結杆と該作動杆を挿通させてガイドするガイド溝を有するガイド板が該取付部上に設けられたことを特徴とするゲーム機の施錠装置。
【請求項２】
前記ガイド板は前記取付部の一部を切り起して該取付部上に垂直に曲げて形成されていることを特徴とする請求項１記載のゲーム機の施錠装置。
【請求項３】
前記スイッチ手段として非接触スイッチが使用され、該非接触スイッチにはスイッチング検出部として前記連結杆と作動杆を挿通させる２個の挿通溝が形成されていることを特徴とする請求項１記載のゲーム機の施錠装置。
【発明の詳細な説明】
【０００１】
【発明の属する技術分野】
本発明は、スロットマシン、パチンコ機等のゲーム機の前面枠を、本体枠に対し施錠するゲーム機の施錠装置に関する。
【０００２】
【従来の技術】
従来、この種のゲーム機の施錠装置として、一般に、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム板が取り付けられた構成の施錠装置が使用されている。スロットマシン用の施錠装置には、通常、作動杆が連結杆と基枠体との間に摺動可能に配設され、カム板の他方の凸部が作動杆と係合可能とされ、作動杆の先端には外側に突出する作動片が設けられ、その作動片の対向位置のゲーム機側にスイッチ手段が設置される。そして、シリンダ錠を解錠側と逆方向に回した時、作動片を摺動させてスイッチ手段をオンさせ、リセット動作などに使用している。スイッチ手段としては、マイクロスイッチ等の通常のスイッチの他、近接スイッチ、或は光電スイッチ等の非接触スイッチが使用される。
【０００３】
【発明が解決しようとする課題】
ところで、近年、この種のゲーム機の施錠装置においては、上記のスイッチ手段が基枠体上に取り付けられる場合があり、さらに、施錠装置の解錠動作をも、スイッチ手段によって検出し、解錠時にはそれを電気信号として取り出すことができるようにした施錠装置が開発されている。
【０００４】
しかしながら、このような種のゲーム機用施錠装置は、解錠検出用のスイッチ手段とリセット用のスイッチ手段の２個のスイッチ手段が狭い基枠体上に設置されるため、構造が複雑化し、部材が相互に干渉したりして連結杆や作動杆の動きが円滑に行なわれにくくなり、さらに、構造の複雑化に伴い、装置の部品点数や加工工数が増大し、製造コストが高くなる問題があった。
【０００５】
本発明は、上記の点に鑑みてなされたもので、スイッチ手段を基枠体上に良好に設置でき、連結杆と作動杆の動きを円滑にガイドすると共に、その動きを良好に検出することができるゲーム機の施錠装置を提供することを目的とする。
【０００６】
【課題を解決するための手段】
上記目的を達成するために、本発明のゲーム機の施錠装置は、取付板と支持板とを有する長尺の基枠体の内側に連結杆が摺動可能に配設され、支持板の上部と下部に鉤部材が傾動可能に枢支され、連結杆の上端と下端が上下の鉤部材に連結され、取付板の中間部にシリンダ錠が固定され、シリンダ錠の錠軸に取付られたカム板が連結杆に係合可能に配設され、支持板と連結杆との間に作動杆がカム板に係合可能で且つ摺動可能に配設されてなるゲーム機の施錠装置において、基枠体の取付板の中間部に幅広の取付部が設けられ、取付部上にキー操作検出用のスイッチ手段が取り付けられ、連結杆と作動杆が取付部上を通って配置されると共に、スイッチ手段をスイッチングさせるスイッチング作動部が連結杆と作動杆に設けられ、連結杆と作動杆を挿通させてガイドするガイド溝を有するガイド板が取付部上に設けられたことを特徴とする。
【０００７】
【作用】
このような構成の施錠装置は、ゲーム機の前扉を本体枠に対し閉じると、上下の鉤部材が受け金具上に進入し、傾動しながらその係止部を乗り越え、受け金具に係止される。解錠する場合、所定のキーをシリンダ錠に挿入し、それを一方に捻る。すると、錠軸、カム板が同方向に回動し、カム板が連結杆４に係合してそれを一方向に移動させ、これにより、上下の鉤部材が傾動し、ロックされていた受け金具から鉤部材が外れ、解錠状態となる。このとき、連結杆が移動する際、スイッチ手段がそれを検出して電気信号を出力し、前扉の解錠が電気的に検出される。
【０００８】
一方、ゲーム機のリセット操作などにより、キーをシリンダ錠に挿入し、それを他方に捻ると、カム板が同方向に回動し、カム板が作動杆に係合してそれを他方向に移動させる。このとき、作動杆のスイッチング作動部がスイッチ手段に作用して作動杆の移動をスイッチ手段が検出し、リセット操作が電気的に検出される。
【０００９】
この施錠装置では、基枠体の取付板の中間部に幅広の取付部が設けられ、取付部上にキー操作検出用のスイッチ手段が取り付けられ、連結杆と作動杆が取付部上を通って配置され、連結杆と作動杆に設けられたスイッチング作動部がスイッチ手段に作用してスイッチングさせるから、狭い取付板上で連結杆と作動杆の両方の動きを電気的に検出して、解錠信号やキー操作によるリセット信号などを発生させることができる。
【００１０】
また、連結杆と作動杆を挿通させてガイドするガイド溝を有するガイド板を、取付部上に設け、スイッチ手段に対し連結杆と作動杆のスイッチング作動部を隙間を確保しながら正確な位置で摺動させるから、スイッチ手段を干渉や接触により破損することがなく、解錠信号やキー操作によるリセット信号などを確実に発生させることができる。
【００１１】
【発明の実施の形態】
以下、本発明の実施の形態を図面に基づいて説明する。図１〜図３はゲーム機用施錠装置の正面図、左側面図、及び背面図を示している。この施錠装置は縦長の基枠体１を有し、基枠体１は略断面Ｌ形に曲折された取付板２と支持板３とからなり、取付板２には複数の取付孔が穿設される。
【００１２】
取付板２に対し略直角に曲折された支持板３の上部と下部に、フック状に形成された鉤部材５、６が枢軸７、８により回動可能に軸支される。支持板３の内側に沿って帯状の連結杆４が摺動可能に配設され、上下の鉤部材５、６の中間部に連結軸９、１０を介して連結杆４の上端と下端が連結され、連結杆４が上方に摺動することにより、鉤部材５、６は解錠位置に傾動する。
【００１３】
支持板３の中間部と下部寄りにガイド支持部３ａが板を内側に切り起し、背面側に曲げるように設けられ、そのガイド支持部３ａと支持板３間に連結杆４が挿通され、ガイド支持部３ａにより摺動可能にガイドされる。図６に示すように、このガイド支持部３ａには、連結杆４と支持板３との間に摺動可能に配設される後述の作動杆１１も支持される。
【００１４】
作動杆１１にはその板の一部を内側に山形に押し出してなる山形ガイド部１１ａが形成され、連結杆４の対応箇所に上下方向つまり長手方向に向けて長孔４ａが形成され、その長孔４ａに山形ガイド部１１ａが挿入・配置され、作動杆１１は所定の範囲で移動可能にガイドされる。このように、連結杆４、作動杆１１は、板材を切り起しただけの簡単な構造のガイド支持部３ａ、山形ガイド部１１ａにより、リベット等他の部材を使用せずに良好に摺動可能にガイドされ、部品点数を削減している。
【００１５】
さらに、取付板２における中間部には、シリンダ錠用の取付部が幅広に形成され、その箇所の支持板３ｂは、外側にシフトした位置に形成される。その取付部には大径の円形孔が設けられ、その孔にシリンダ錠１４が背面側から挿入され、そのフランジ部を取付板２にねじ止めして、シリンダ錠１４が取り付けられる。
【００１６】
シリンダ錠１４は長尺のシリンダ部を有する錠であって、その錠軸の先端が基枠体１の内側に突出しそこにカム板１３が固定される。カム板１３には係合凸部１３ａと１３ｂが設けられ、連結杆４と作動杆１１の側に、係合凸部１３ａ、１３ｂと係合可能な係合凹部が形成される。そして、係合凸部１３ａはシリンダ錠１４のキーを右に回した時、連結杆４と係合して連結杆４を上方に移動させ、係合凸部１３ｂはキーを左に回した時、作動杆１１と係合して作動杆１１を下方に摺動させる。
【００１７】
さらに、そのシリンダ錠１４が取り付けられた箇所の下部には、支持板３の一部を外側に倒し、取付板２と同じ水平状態にして幅広とした取付部２ａが、取付板２の外側に延設される形態で形成され、そこに非接触スイッチ１５が取り付けられる。２連のスイッチ部を有するこの非接触スイッチ１５は、例えば透過型の光電スイッチ（投光器と受光器を対向して設けたもの）を２個並行に配設したもので、連結杆４が挿通される挿通溝１５ａと、作動杆１１が挿通される挿通溝１５ｂとが設けられる。挿通溝１５ａ，１５ｂはスイッチング検出部となるもので、連結杆４と作動杆１１の長手方向（移動方向）つまり縦方向に設けられ、連結杆４はそのまま挿通溝１５ａに挿通され、作動杆１１は、取付部２ａ上で外側に位置をシフトするように曲げられ、他方の挿通溝１５ｂに挿通される。
【００１８】
さらに、図８、図９のように、取付部２ａ上には、ガイド板１２が取付部２ａの板材を内側上方に切り起こすように曲げて形成され、そのガイド板１２には、連結杆４を挿通させるガイド溝１２ａと、作動杆１１を挿通させるガイド溝１２ｂが形成される。このガイド溝１２ａと１２ｂは、連結杆４と作動杆１１をガタツキなく良好に摺動ガイドするように、例えば連結杆４と作動杆１１の板厚が１．６mmの場合、ガイド溝１２ａ、１２ｂの幅は約２mmとその両側に生じる隙間が０．２mmと小さくなるように形成される。
【００１９】
一方、上記非接触スイッチ１５の挿通溝１５ａ，１５ｂの幅は、約３mmと多少余裕をもって形成され、板厚１．６mmの連結杆４と作動杆１１が挿通溝１５ａ，１５ｂに入ったとき、両側に０．７mmの隙間が生じるように形成される。従って、ガイド板１２のガイド溝１２ａ，１２ｂ（幅２mm）により、連結杆４と作動杆１１をガイドした場合、ガイド溝１２ａ，１２ｂ内で連結杆４、作動杆１１の両側に０．２mmの隙間が形成されることになる。これにより、挿通溝１５ａ，１５ｂ内の隙間に比べガイド溝１５ａ，１５ｂ内の隙間の幅を小さくして、非接触スイッチ１５の内側に連結杆４、作動杆１１が接触しないようにしている。
【００２０】
図４、図５に示すように、非接触スイッチ１５に対応した連結杆４の一部にはスイッチング作動部として凹部４ｂとそれに続く板部が形成され、作動杆１１の一部にも同様のスイッチング作動部として凹部１１ｂとそれに続く板部が形成される。この凹部４ｂは、キーを右に回した時、連結杆４が上方に移動し、非接触スイッチ１５の検出部内に入る位置に形成され、凹部１１ｂは、キーを左に回した時、連結杆１１が下方に移動し、非接触スイッチ１５の検出部内に入る位置に形成される。キーの非操作時には、何れも連結杆４または作動杆１１の板部が非接触スイッチ１５の検出部に位置し、検出状態から非検出状態に変わることにより、キー操作が電気的に検出される。
【００２１】
上記とは逆に、キーの非操作時に、連結杆４の凹部４ｂ又は作動杆１１の凹部１１ｂが非接触スイッチ１５の検出部に位置し、キーの操作時に、連結杆４又は作動杆１１の板部が非接触スイッチ１５の検出部に入り、非検出状態から検出状態に変わることにより、キー操作を電気的に検出するようにしてもよい。
【００２２】
更に、支持板３の下端部には、合成樹脂製のローラ１６が回転自在に軸支される。このローラ１６は、前扉の閉鎖時に本体枠側のローラ受け上を転動して前扉を支持するように設けられる。作動杆１１と連結杆４との間に、作動杆１１を上方に且つ連結杆４を下方側に付勢するためのコイルばね１７が掛け止められる。また、取付部２ａと反対側の取付板２の側縁部には、縁部を直角に曲げて側壁２ｂが形成され、これによって、支持板の欠如した部分を補強すると共に、カム板１３やその係合部分に、針金等を侵入させないようにしている。
【００２３】
このように構成された施錠装置は、ゲーム機例えばスロットマシンの前扉の内側に取付板２を当てて固定され、ゲーム機の本体枠側の対応位置に受け金具が取り付けられる。受け金具は、縦長の基板の上部と下部に、板状係止部を突設して形成され、板状係止部は施錠装置側の鉤部材５、６の対向位置に配置され、基板の下部にはローラ受けが設けられる。また、受け金具の側部には、長尺の基板の側縁に沿った側縁部として隙間覆い部が設けられる。この隙間覆い部は、前扉を閉じた時、本体枠との間に生じた隙間を、施錠装置の範囲で内側から覆って塞ぐように設けられる。
【００２４】
前扉を本体枠に対し閉じると、上下の鉤部材５、６が受け金具上に進入し、上方に回動しながらその係止部がコイルばね１７の付勢力によりそこを乗り越え、受け金具に係止される。解錠する場合、所定のキーをシリンダ錠１４に挿入し、それを右側に捻る。すると、錠軸、カム板１３が同方向に回動し、カム板１３の係合凸部１３ａとの係合により連結杆４がコイルばね１７に抗して上方に移動し、これにより、上下の鉤部材５、６が上方に回動し、ロックされていた受け金具の板状係止部から外れ、解錠状態となる。このとき、図５に示すように、連結杆４が上方へ移動する際、非接触スイッチ１５がそれを検出して電気信号を出力し、前扉の解錠が電気的に検出される。
【００２５】
一方、ゲーム機のリセット操作などにより、キーをシリンダ錠１４に挿入し、それを左側に捻ると、カム板１３が同方向に回動し、カム板１３の係合凸部１３ｂとの係合により、作動杆１１がコイルばね１７に抗して下方に移動する。このとき、図４に示すように、作動杆１１が下方へ移動する際、非接触スイッチ１５がそれを検出して電気信号を出力し、リセット操作が電気的に検出される。
【００２６】
なお、非接触スイッチ１５には、光電スイッチの他、近接スイッチなどを使用することもできる。また、非接触スイッチ１５にはスイッチング検出部として２個の挿通溝が設けられていたが、１個の検出部をもつ非接触スイッチまたは接触式スイッチを２個併設することもできる。
【００２７】
【発明の効果】
以上説明したように、本発明の施錠装置によれば、基枠体の取付板の中間部に幅広の取付部が設けられ、取付部上にキー操作検出用のスイッチ手段が取り付けられ、連結杆と作動杆が取付部上を通って配置され、連結杆と作動杆に設けられたスイッチング作動部がスイッチ手段に作用してスイッチングさせるから、狭い取付板上で連結杆と作動杆の両方の動きを電気的に検出して、解錠信号やキー操作によるリセット信号などを発生させることができる。
【００２８】
また、連結杆と作動杆を挿通させてガイドするガイド溝を有するガイド板を、取付部上に設け、スイッチ手段に対し連結杆と作動杆のスイッチング作動部を隙間を確保しながら正確な位置で摺動させるから、スイッチ手段を干渉や接触により破損することがなく、解錠信号やキー操作によるリセット信号などを確実に発生させることができる。
【図面の簡単な説明】
【図１】本発明の一実施例を示す施錠装置の正面図である。
【図２】同装置の右側面図である。
【図３】同装置の背面図である。
【図４】図３のIV-IV 拡大断面図である。
【図５】図３のV-V 拡大断面図である。
【図６】図２のVI-VI 拡大断面図である。
【図７】図３のVII-VII 拡大断面図である。
【図８】図３のVIII-VIII 拡大断面図である。
【図９】取付部２ａと非接触スイッチ１５の部分の斜視図である。
【符号の説明】
１−基枠体
２−取付板
２ａ−取付部
３−支持板
４−連結杆
４ｂ−凹部
５、６−鉤部材
１１−作動杆
１２−ガイド板
１２ａ，１２ｂ−ガイド溝
１３−カム板
１４−シリンダ錠
１５−非接触スイッチ
１５ａ，１５ｂ−挿通溝
【図１】
0003742942.tif 000002
【図２】
0003742942.tif 000003
【図３】
0003742942.tif 000004
【図４】
0003742942.tif 000005
【図５】
0003742942.tif 000006
【図６】
0003742942.tif 000007
【図７】
0003742942.tif 000008
【図８】
0003742942.tif 000009
【図９】
0003742942.tif 000010